(57)【要約】【課題】表示ムラの低減された電気泳動表示装置を提供する。【解決手段】本発明の電気泳動表示装置は、一対の基板間に電気泳動素子を挟持してなり、複数の画素を配列してなる表示部を備えた電気泳動表示装置であって、前記表示部に、各々の前記画素と接続された走査線、データ線、電源線、及びイネーブル線が設けられ、前記画素毎に、画素電極と、前記走査線及びデータ線に接続された制御トランジスタと、前記制御トランジスタのドレインにゲートを接続されるとともに前記電源線にドレインを接続された駆動トランジスタと、前記駆動トランジスタのゲート及びソースと接続された保持容量と、前記駆動トランジスタのソースと前記画素電極との間に接続され前記イネーブル線を介して入力される信号に基づいて前記画素電極と前記駆動トランジスタとの電気的接続をスイッチングするイネーブルトランジスタと、を有することを特徴とする。【選択図】図１
2011090144.tif 000002
【特許請求の範囲】
【請求項１】
一対の基板間に電気泳動素子を挟持してなり、複数の画素を配列してなる表示部を備えた電気泳動表示装置であって、
前記表示部に、各々の前記画素と接続された走査線、データ線、電源線、及びイネーブル線が設けられ、
前記画素毎に、画素電極と、前記走査線及びデータ線に接続された制御トランジスタと、前記制御トランジスタのドレインにゲートを接続されるとともに前記電源線にドレインを接続された駆動トランジスタと、前記駆動トランジスタのゲート及びソースと接続された保持容量と、前記駆動トランジスタのソースと前記画素電極との間に接続され前記イネーブル線を介して入力される信号に基づいて前記画素電極と前記駆動トランジスタとの電気的接続をスイッチングするイネーブルトランジスタと、を有することを特徴とする電気泳動表示装置。
【請求項２】
前記表示部を制御する制御部を備え、
前記制御部は、前記表示部に画像を表示させるに際して、
前記駆動トランジスタのソース電位とゲート電位とを所定の電位関係に初期化する初期化駆動動作と、
前記駆動トランジスタのしきい値電圧を補正するしきい値電圧補正動作と、
前記駆動トランジスタの移動度を補正する移動度補正動作と、
前記電気泳動素子を駆動する画像表示動作と、
を実行することを特徴とする請求項１に記載の電気泳動表示装置。
【請求項３】
前記制御部は、前記しきい値電圧補正動作及び前記移動度補正動作の期間に、前記イネーブルトランジスタをオフ状態とすることを特徴とする請求項２に記載の電気泳動表示装置。
【請求項４】
複数の前記イネーブル線の各々に対応して設けられたスイッチ回路を有するイネーブル線制御回路と、前記イネーブル線制御回路と接続された第１電源線及び第２電源線とを備え、
前記スイッチ回路は、前記イネーブル線と前記第１電源線との間に介挿された第１トランジスタと、前記イネーブル線と前記第２電源線との間に介挿された第２トランジスタとを有しており、
前記第１トランジスタのゲートは当該スイッチ回路が属する第１の前記走査線に接続され、
前記第２トランジスタのゲートは前記第１の走査線と異なる第２の走査線に接続されていることを特徴とする請求項１から３のいずれか１項に記載の電気泳動表示装置。
【請求項５】
前記イネーブル線制御回路と接続された第３電源線を備え、
前記スイッチ回路は、前記イネーブル線と前記第３電源線との間に介挿された第３トランジスタを有しており、
前記第３トランジスタのゲートは前記第１及び第２の走査線と異なる第３の走査線又は他の制御線に接続されていることを特徴とする請求項４に記載の電気泳動表示装置。
【請求項６】
前記スイッチ回路は、前記イネーブル線に一方の電極を接続された容量を有することを特徴とする請求項４又は５に記載の電気泳動表示装置。
【請求項７】
各々の前記走査線に対応して形成された複数の前記電源線と、前記電源線の各々に対応して設けられたスイッチ回路を有する電位制御回路と、前記電位制御回路と接続された第４電源線及び第５電源線とを備え、
前記スイッチ回路は、前記電源線と前記第４電源線との間に介挿された第４トランジスタと、前記電源線と前記第５電源線との間に介挿された第５トランジスタと、前記第５トランジスタをオフ状態とする電位を出力する第１電源と前記第５トランジスタのゲートとの間に介挿された第６トランジスタと、前記第５トランジスタをオン状態とする電位を出力する第２電源と前記第５トランジスタのゲートとの間に介挿された第７トランジスタと、を有しており、
前記第４トランジスタのゲートと前記第６トランジスタのゲートとが、当該スイッチ回路が属する第１の前記走査線に接続される一方、前記第７トランジスタのゲートが、前記第１の走査線と異なる第２の前記走査線に接続されていることを特徴とする請求項１から３のいずれか１項に記載の電気泳動表示装置。
【請求項８】
前記スイッチ回路は、前記第５トランジスタのゲートに一方の電極を接続された容量を有することを特徴とする請求項７に記載の電気泳動表示装置。
【請求項９】
請求項４から６のいずれか１項に記載のイネーブル線制御回路をさらに備えたことを特徴とする請求項７又は８に記載の電気泳動表示装置。
【請求項１０】
一対の基板間に電気泳動素子を挟持してなり、複数の画素を配列してなる表示部を備え、前記表示部に、各々の前記画素と接続された走査線、データ線、電源線、及びイネーブル線が設けられ、前記画素毎に、画素電極と、前記走査線及びデータ線に接続された制御トランジスタと、前記制御トランジスタのドレインにゲートを接続されるとともに前記電源線にドレインを接続された駆動トランジスタと、前記駆動トランジスタのゲート及びソースと接続された保持容量と、前記駆動トランジスタのソースと前記画素電極との間に接続され前記イネーブル線を介して入力される信号に基づいて前記画素電極と前記駆動トランジスタとの電気的接続をスイッチングするイネーブルトランジスタと、を有する電気泳動表示装置の駆動方法であって、
前記表示部に画像を表示させるステップが、前記駆動トランジスタのソース電位とゲート電位とを所定の電位関係に初期化する初期化駆動ステップと、前記駆動トランジスタのしきい値電圧を補正するしきい値電圧補正ステップと、前記駆動トランジスタの移動度を補正する移動度補正ステップと、前記電気泳動素子を駆動する画像表示ステップと、を含んでおり、
前記しきい値電圧補正ステップ及び前記移動度補正ステップにおいて、前記イネーブルトランジスタをオフ状態とすることを特徴とする電気泳動表示装置の駆動方法。
【請求項１１】
前記イネーブルトランジスタのオンオフ制御を、当該イネーブルトランジスタが属する前記画素に接続された第１の前記走査線の電位と、前記第１の走査線と異なる第２の前記走査線の電位とによって行うことを特徴とする請求項１０に記載の電気泳動表示装置の駆動方法。
【請求項１２】
前記第１及び第２の走査線の電位に基づくオンオフ制御の後に、前記第１及び第２の走査線と異なる第３の前記走査線の電位によって前記イネーブルトランジスタのオンオフ制御を行うことを特徴とする請求項１１に記載の電気泳動表示装置の駆動方法。
【請求項１３】
前記電源線に供給する電位を、当該電源線と同一の前記画素に接続された第１の前記走査線の選択動作と、前記第１の走査線の次段の第２の前記走査線の選択動作とに同期させて切り替えることを特徴とする請求項１０から１２のいずれか１項に記載の電気泳動表示装置の駆動方法。
【請求項１４】
請求項１から９のいずれか１項に記載の電気泳動表示装置を備えたことを特徴とする電子機器。
【発明の詳細な説明】
【技術分野】
【０００１】
本発明は、電気泳動表示装置とその駆動方法及び電子機器に関するものである。
【背景技術】
【０００２】
画素内に制御トランジスタと保持容量と駆動トランジスタとを備えた電気泳動表示装置が知られている（例えば特許文献１参照）。かかる文献に記載の電気泳動表示装置の画素では、制御トランジスタを介して入力される画像信号により保持容量が充電され、保持容量の電圧に応じた電流を駆動トランジスタが画素電極に流していた。これにより、画素電極に供給された電荷量（電流×時間）に応じた明るさの表示を得るものであった。
【先行技術文献】
【特許文献】
【０００３】
【特許文献１】特開２００８−１７６３３０号公報
【発明の概要】
【発明が解決しようとする課題】
【０００４】
特許文献１に記載の画素において、駆動トランジスタの流す電流Ｉsは、以下に示す式で表される。ただし、Ｗはチャネル幅、Ｌはチャネル長、Ｃoxはεox／ｔox（εox：ゲート酸化膜の誘電率、ｔox：ゲート絶縁膜の厚さ）なる式で表される定数、μは移動度、Ｖthはしきい値電圧であり、ＶgとＶsはそれぞれゲート電圧とソース電圧である。
【０００５】
【数１】
2011090144.tif 000003
【０００６】
上記の式において、Ｗ、Ｌ、Ｃox、μ、Ｖthは、各画素のトランジスタ毎にばらつきがある。そのために電流Ｉsが各画素毎にばらつくこととなり、表示階調に差が生じて表示ムラが発生していた。以下では、上記の式における（Ｗ／Ｌ）Ｃoxμの積項をまとめ、代表して「移動度等」と称する。
【０００７】
本発明は、上記従来技術の問題点に鑑み成されたものであって、表示ムラの低減された表示が可能な電気泳動表示装置とその駆動方法を提供することを目的の一つとする。
【課題を解決するための手段】
【０００８】
本発明の電気泳動表示装置は、一対の基板間に電気泳動素子を挟持してなり、複数の画素を配列してなる表示部を備えた電気泳動表示装置であって、前記表示部に、各々の前記画素と接続された走査線、データ線、電源線、及びイネーブル線が設けられ、前記画素毎に、画素電極と、前記走査線及びデータ線に接続された制御トランジスタと、前記制御トランジスタのドレインにゲートを接続されるとともに前記電源線にドレインを接続された駆動トランジスタと、前記駆動トランジスタのゲート及びソースと接続された保持容量と、前記駆動トランジスタのソースと前記画素電極との間に接続され前記イネーブル線を介して入力される信号に基づいて前記画素電極と前記駆動トランジスタとの電気的接続をスイッチングするイネーブルトランジスタと、を有することを特徴とする。
【０００９】
この構成によれば、イネーブルトランジスタによって駆動トランジスタと画素電極との電気的接続をスイッチングすることができるので、電気泳動素子を駆動して画像表示を行う前に、イネーブルトランジスタにより画素電極を電気的に切断した状態で駆動トランジスタのしきい値電圧や移動度の補正動作を行うことができる。電気泳動素子は抵抗成分を有するため、駆動トランジスタと画素電極とが電気的に接続された状態では正確なしきい値電圧補正や移動度補正を行うことができないが、本発明では正確に補正動作を行うことができる。
このように本発明によれば、表示ムラの低減された均一な表示を得ることができる。
【００１０】
前記表示部を制御する制御部を備え、前記制御部は、前記表示部に画像を表示させるに際して、前記駆動トランジスタのソース電位とゲート電位とを所定の電位関係に初期化する初期化駆動動作と、前記駆動トランジスタのしきい値電圧を補正するしきい値電圧補正動作と、前記駆動トランジスタの移動度を補正する移動度補正動作と、前記電気泳動素子を駆動する画像表示動作と、を実行することが好ましい。
この構成によれば、各々の画素において駆動トランジスタのしきい値電圧と移動度が補正され、表示ムラが効果的に低減された表示が可能な電気泳動表示装置を提供することができる。
【００１１】
前記制御部は、前記しきい値電圧補正動作及び前記移動度補正動作の期間に、前記イネーブルトランジスタをオフ状態とすることが好ましい。これにより、補正動作時に画素電極に電流が流入するのを防止でき、駆動トランジスタの補正を正確に行うことができる。
【００１２】
複数の前記イネーブル線の各々に対応して設けられたスイッチ回路を有するイネーブル線制御回路と、前記イネーブル線制御回路と接続された第１電源線及び第２電源線とを備え、前記スイッチ回路は、前記イネーブル線と前記第１電源線との間に介挿された第１トランジスタと、前記イネーブル線と前記第２電源線との間に介挿された第２トランジスタとを有しており、前記第１トランジスタのゲートは当該スイッチ回路が属する第１の前記走査線に接続され、前記第２トランジスタのゲートは前記第１の走査線と異なる第２の走査線に接続されていることが好ましい。
この構成によれば、走査線の選択動作に同期してイネーブルトランジスタのオンオフ制御が成される電気泳動表示装置を提供することができる。
【００１３】
前記イネーブル線制御回路と接続された第３電源線を備え、前記スイッチ回路は、前記イネーブル線と前記第３電源線との間に介挿された第３トランジスタを有しており、前記第３トランジスタのゲートは前記第１及び第２の走査線と異なる第３の走査線又は他の制御線に接続されていることも好ましい。
この構成によれば、第３トランジスタのスイッチング動作を利用してさらに細かくイネーブルトランジスタを制御することができる。
【００１４】
前記スイッチ回路は、前記イネーブル線に一方の電極を接続された容量を有することも好ましい。この構成によれば、イネーブルトランジスタのオン状態の持続期間を引き延ばすことができ、画素電極への電流供給を要求される期間に確実に駆動トランジスタと画素電極との接続を確保することができる。
【００１５】
各々の前記走査線に対応して形成された複数の前記電源線と、前記電源線の各々に対応して設けられたスイッチ回路を有する電位制御回路と、前記電位制御回路と接続された第４電源線及び第５電源線とを備え、
前記スイッチ回路は、前記電源線と前記第４電源線との間に介挿された第４トランジスタと、前記電源線と前記第５電源線との間に介挿された第５トランジスタと、前記第５トランジスタをオフ状態とする電位を出力する第１電源と前記第５トランジスタのゲートとの間に介挿された第６トランジスタと、前記第５トランジスタをオン状態とする電位を出力する第２電源と前記第５トランジスタのゲートとの間に介挿された第７トランジスタと、を有しており、
前記第４トランジスタのゲートと前記第６トランジスタのゲートとが、当該スイッチ回路が属する第１の前記走査線に接続される一方、前記第７トランジスタのゲートが、前記第１の走査線と異なる第２の前記走査線に接続されていることが好ましい。
この構成によれば、走査線の選択動作に同期して電源線の電位を切り替え制御することができる電気泳動表示装置を提供することができる。
【００１６】
前記スイッチ回路は、前記第５トランジスタのゲートに一方の電極を接続された容量を有することが好ましい。この構成によれば、第５トランジスタのオン状態又はオフ状態の持続期間を引き延ばすことができ、電源供給を要求される期間に確実に電源を供給することができる。
【００１７】
上記電位制御回路を備えた電気泳動表示装置において、先に記載のイネーブル線制御回路をさらに備えた構成としてもよい。これにより、駆動トランジスタへの電源供給と、イネーブルトランジスタのスイッチング動作とを走査線の選択動作に同期させて制御可能になる。
【００１８】
次に，本発明の電気泳動表示装置の駆動方法は、一対の基板間に電気泳動素子を挟持してなり、複数の画素を配列してなる表示部を備え、前記表示部に、各々の前記画素と接続された走査線、データ線、電源線、及びイネーブル線が設けられ、前記画素毎に、画素電極と、前記走査線及びデータ線に接続された制御トランジスタと、前記制御トランジスタのドレインにゲートを接続されるとともに前記電源線にドレインを接続された駆動トランジスタと、前記駆動トランジスタのゲート及びソースと接続された保持容量と、前記駆動トランジスタのソースと前記画素電極との間に接続され前記イネーブル線を介して入力される信号に基づいて前記画素電極と前記駆動トランジスタとの電気的接続をスイッチングするイネーブルトランジスタと、を有する電気泳動表示装置の駆動方法であって、前記表示部に画像を表示させるステップが、前記駆動トランジスタのソース電位とゲート電位とを所定の電位関係に初期化する初期化駆動ステップと、前記駆動トランジスタのしきい値電圧を補正するしきい値電圧補正ステップと、前記駆動トランジスタの移動度を補正する移動度補正ステップと、前記電気泳動素子を駆動する画像表示ステップと、を含んでおり、前記しきい値電圧補正ステップ及び前記移動度補正ステップにおいて、前記イネーブルトランジスタをオフ状態とすることを特徴とする。
【００１９】
この駆動方法によれば、電気泳動素子を駆動して画像表示を行う前に、イネーブルトランジスタにより画素電極を電気的に切断した状態で駆動トランジスタのしきい値電圧や移動度の補正動作を行うことができる。電気泳動素子は抵抗成分を有するため、駆動トランジスタと画素電極とが電気的に接続された状態では正確なしきい値電圧補正や移動度補正を行うことができないが、本発明では正確に補正動作を行うことができる。
このように本発明によれば、表示ムラの低減された均一な表示を得ることができる。
【００２０】
前記イネーブルトランジスタのオンオフ制御を、当該イネーブルトランジスタが属する前記画素に接続された第１の前記走査線の電位と、前記第１の走査線と異なる第２の前記走査線の電位とによって行うことも好ましい。
このような駆動方法とすれば、イネーブル線を制御する駆動回路を外部に設ける必要が無く、配線や駆動回路の構成を簡素化することができる。
【００２１】
前記第１及び第２の走査線の電位に基づくオンオフ制御の後に、前記第１及び第２の走査線と異なる第３の前記走査線の電位によって前記イネーブルトランジスタのオンオフ制御を行うことも好ましい。
このような駆動方法とすれば、さらに細かくイネーブルトランジスタを制御することができ、より自由度の高い駆動形態が採用可能である。
【００２２】
前記電源線に供給する電位を、当該電源線と同一の前記画素に接続された第１の前記走査線の選択動作と、前記第１の走査線の次段の第２の前記走査線の選択動作とに同期させて切り替えることも好ましい。
この駆動方法によれば、駆動トランジスタに接続された電源線を制御する駆動回路を外部に設ける必要が無く、配線や駆動回路の構成を簡素化することができる。
【００２３】
本発明の電子機器は、先に記載の電気泳動表示装置を備えたことを特徴とする。
この構成によれば、高品質の表示が可能な表示手段を具備した電子機器を提供することができる。
【図面の簡単な説明】
【００２４】
【図１】第１実施形態に係る電気泳動表示装置の概略構成図。
【図２】画素の回路構成図。
【図３】第１実施形態に係る電気泳動表示装置の要部を示す断面図。
【図４】電気泳動素子の動作説明図。
【図５】第１実施形態に係る電気泳動表示装置の駆動方法を示すフローチャート。
【図６】図５に対応するタイミングチャート。
【図７】第１実施形態に係る駆動方法の作用説明図。
【図８】第２実施形態に係る電気泳動表示装置の概略構成図。
【図９】イネーブル線制御回路の動作説明のためのタイミングチャート。
【図１０】第２実施形態の変形例に係る電気泳動表示装置の概略構成図。
【図１１】第３実施形態に係る電気泳動表示装置の概略構成図。
【図１２】電位制御回路の動作説明のためのタイミングチャート。
【図１３】電子機器の一例を示す図。
【図１４】電子機器の一例を示す図。
【図１５】電子機器の一例を示す図。
【発明を実施するための形態】
【００２５】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２６】
（第１の実施形態）
図１は、本発明の一実施の形態である電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラー（制御部）６３、及び共通電源変調回路６４が配置されている。走査線駆動回路６１、データ線駆動回路６２、及び共通電源変調回路６４は、それぞれコントローラー６３と接続されている。コントローラー６３は、上位装置から供給される画像データや同期信号に基づき、これらを総合的に制御する。
【００２７】
表示部５には走査線駆動回路６１から延びる複数の走査線６６と、データ線駆動回路６２から延びる複数のデータ線６８とが形成されており、これらの交差位置に対応して画素４０が設けられている。また、共通電源変調回路６４から延びるイネーブル線４９と、電源線５０と、共通電極配線５５とが設けられており、それぞれの配線は画素４０と接続されている。イネーブル線４９及び電源線５０は各行の走査線６６に対応して設けられており、共通電源変調回路６４は、各行のイネーブル線４９及び電源線５０に対して個別に電位入力可能に構成されている。
なお、共通電極配線５５は、表示部５の複数の画素４０に共通の電極である共通電極３７（図２，３参照）と共通電源変調回路６４との電気的接続を便宜的に配線として示したものである。
【００２８】
走査線駆動回路６１は、ｍ本の走査線６６（Ｙ１、Ｙ２、…、Ｙｍ）を介して各々の画素４０に接続されており、コントローラー６３の制御のもと、１行目からｍ行目までの走査線６６を順次選択し、画素４０に設けられた制御トランジスタＴＲｃ（図２参照）のオンタイミングを規定する選択信号を、選択した走査線６６を介して供給する。データ線駆動回路６２は、ｎ本のデータ線６８（Ｘ１、Ｘ２、…、Ｘｎ）を介して各々の画素４０に接続されており、コントローラー６３の制御のもと、画素４０の各々に対応する画素データを規定する画像信号を画素４０に供給する。共通電源変調回路６４は、コントローラー６３の制御のもと、上記の配線の各々に供給すべき各種信号を生成する一方、これら各配線の電気的な接続及び切断（ハイインピーダンス（Ｈｉ−Ｚ）化）を行う。
なお、本実施形態では、画素データ「０」（白）を規定する場合にはローレベル（Ｌ）の画像信号を画素４０に供給し、画素データ「１」（黒）を規定する場合はハイレベル（Ｈ）の画像信号を画素４０に供給するものとする。また、中間階調の画素データを規定する場合は、ＬからＨの間のレベルの画像信号を画素４０に供給する。
【００２９】
図２は、画素４０の回路構成図である。
画素４０には、制御トランジスタＴＲｃと、駆動トランジスタＴＲｄと、イネーブルトランジスタＴＲｅと、保持容量Ｃ１と、画素電極３５と、電気泳動素子３２と、共通電極３７と、が設けられている。また、画素４０には、走査線６６と、データ線６８と、イネーブル線４９と、電源線５０とが接続されている。制御トランジスタＴＲｃと、駆動トランジスタＴＲｄと、イネーブルトランジスタＴＲｅはいずれもＮ−ＭＯＳ（Negative Metal Oxide Semiconductor）トランジスタである。
なお、制御トランジスタＴＲｃ、駆動トランジスタＴＲｄ、及びイネーブルトランジスタＴＲｅは、それらと同等の機能を有する他の種類のスイッチング素子と置き換えてもよい。例えば、Ｎ−ＭＯＳトランジスタに代えてＰ−ＭＯＳトランジスタを用いてもよく、インバータやトランスミッションゲートを用いてもよい。
【００３０】
より詳しくは、制御トランジスタＴＲｃのゲートに走査線６６が接続され、ソースにはデータ線６８が接続されている。制御トランジスタＴＲｃのドレインは、駆動トランジスタＴＲｄのゲート、及び保持容量Ｃ１の一方の電極に接続されている。駆動トランジスタＴＲｄのドレインは電源線５０に接続され、ソースは保持容量Ｃ１の他方の電極とイネーブルトランジスタＴＲｅのドレインとに接続されている。イネーブルトランジスタＴＲｅのゲートにはイネーブル線４９が接続され、ソースには画素電極３５が接続されている。画素電極３５と共通電極３７との間に電気泳動素子３２が挟持されている。
【００３１】
画素４０において、制御トランジスタＴＲｃは画素４０への画像信号の入力を制御するスイッチング素子であり、制御トランジスタＴＲｃを介して供給される画像信号により保持容量Ｃ１が充電される。駆動トランジスタＴＲｄは、保持容量Ｃ１の電圧により駆動され、保持容量Ｃ１の蓄電量に対応する電流を画素電極３５側へ流す。イネーブルトランジスタＴＲｅは、駆動トランジスタＴＲｄから画素電極３５への電流の流入を制御する。
【００３２】
次に、図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００３３】
表示部５において、素子基板３０の電気泳動素子３２側には、図１や図２に示した走査線６６、データ線６８、制御トランジスタＴＲｃ、駆動トランジスタＴＲｄなどが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００３４】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００３５】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００３６】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００３７】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３８】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００３９】
図４は、電気泳動素子の動作説明図である。図４（ａ）は、画素４０を白表示する場合、図４（ｂ）は、画素４０を黒表示する場合をそれぞれ示している。
図４（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図４（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００４０】
［駆動方法］
次に、図５から図８を参照して本実施形態の電気泳動表示装置の駆動方法について説明する。
図５は、電気泳動表示装置１００の駆動方法を示すフローチャートである。図６は、図５のフローチャートに対応するタイミングチャートである。図７は、本実施形態の駆動方法における作用説明図である。
【００４１】
図５に示すように、本実施形態の駆動方法は、初期化駆動ステップＳ１０１と、しきい値電圧補正ステップＳ１０２と、移動度補正ステップＳ１０３と、画像表示ステップＳ１０４と、を有する。図６には、上記各ステップに対応させて、走査線６６の電位Ｇ、データ線６８の電位Ｓ、イネーブル線４９の電位Ｅｎ、電源線５０の電位Ｖｄｄ、ノードＮ２（駆動トランジスタＴＲｄのソース）の電位Ｖsが示されている。
【００４２】
なお、以下の説明では、共通電極３７の電位Ｖcomを０Ｖに固定し、画素電極３５に所望の電流を流入させることで画像表示を行う場合について説明する。また、駆動トランジスタＴＲｄの電流特性が近似的に下記（１）式で与えられるとして説明する。
ただし、Ｗはチャネル幅、Ｌはチャネル長、Ｃoxはεox／ｔox（εox：ゲート酸化膜の誘電率、ｔox：ゲート絶縁膜の厚さ）なる式で表される定数、μは移動度、Ｖthはしきい値電圧である。
【００４３】
【数２】
2011090144.tif 000004
【００４４】
［初期化駆動ステップ］
まず、初期化駆動ステップＳ１０１では、各行の走査線６６とイネーブル線４９とにハイレベルの選択信号を入力し、制御トランジスタＴＲｃとイネーブルトランジスタＴＲｅとをオン状態とする。また、各行のデータ線６８に駆動トランジスタＴＲｄをオン状態とする画像信号（電位Ｖｏｎ）を入力するとともに、電源線５０の電位Ｖｄｄを負の初期化電圧−Ｖｅ0とする。
【００４５】
すると、図６及び図７（ａ）に示すように、オン状態の駆動トランジスタＴＲｄを介して画素電極３５側のノードＮ２（ソース電位Ｖs）が負の電位−Ｖｅ0に設定される。これにより、駆動トランジスタＴＲｄのゲート−ソース間電圧Ｖgsが、強制的に、駆動トランジスタのしきい値電圧Ｖthよりも高電位に設定される（駆動トランジスタＴＲｄの初期化）。
このとき、イネーブルトランジスタＴＲｅがオン状態であるため、駆動トランジスタＴＲｄ及びイネーブルトランジスタＴＲｅを介して負の初期化電圧−Ｖｅ0が画素電極３５に入力される。これにより、共通電極３７（０Ｖ）が相対的に高電位、画素電極３５が相対的に低電位となって、電気泳動素子３２が白表示される（図４（ａ）参照）。
【００４６】
なお、本実施形態では、初期化駆動ステップＳ１０１によって表示部５を全面白表示することとしたが、初期化駆動ステップＳ１０１の実行時に表示部５の表示状態を変化させないようにすることもできる。この場合、イネーブルトランジスタＴＲｅをオフ状態とするか、あるいは共通電極３７を電源線５０と同電位（−Ｖｅ0）とすればよい。
【００４７】
［しきい値電圧補正ステップ］
次に、しきい値電圧補正ステップＳ１０２では、駆動トランジスタＴＲｄのしきい値電圧Ｖthを補正する。しきい値電圧Ｖthは、駆動トランジスタＴＲｄのソース電流が流れ始めるゲート−ソース間電圧Ｖgsであり、画素４０毎にばらつきを持ち、表示ムラの原因の一つとなるので、当該ステップにおいてこれを補正する。
【００４８】
しきい値電圧補正ステップＳ１０２に移行すると、図６及び図７（ｂ）に示すように、各行のイネーブル線４９にローレベルが入力され、全ての画素４０のイネーブルトランジスタＴＲｅがオフ状態とされる。その後、電源線５０の電位Ｖｄｄを正の初期化電圧（Ｖｅ）に設定する。
駆動トランジスタＴＲｄのゲート−ソース間電圧Ｖgsは、初期化駆動ステップＳ１０１によってしきい値電圧Ｖthよりも高電圧に設定され、オン状態を保持している。そのため、電源線５０から駆動トランジスタＴＲｄを介してノードＮ２に電流が流れ、保持容量Ｃ１を充電し始める。この充電動作に伴ってソース電位Ｖsが上昇し、ゲート−ソース間電圧ＶgsがＶthに達すると、駆動トランジスタＴＲｄがオフ状態となって電流が停止する。このときの各ノードの電位は図７（ｂ）に示す通りである。
上記の電流が停止した状態では、保持容量Ｃ１の両端の電圧が駆動トランジスタＴＲｄのしきい値電圧Ｖthに等しくなる。これにより、駆動トランジスタＴＲｄのしきい値電圧補正が完了する。
【００４９】
以上のしきい値電圧補正ステップＳ１０２で重要なのは、しきい値電圧補正ステップＳ１０２の期間中、イネーブルトランジスタＴＲｅがオフ状態に保持されることである。電気泳動素子３２は容量成分と抵抗成分とを並列に有しており、画素電極３５と共通電極３７との間に電位差があると容易に電流が流れてしまう。そして、電気泳動素子３２に電流が流れると、ノードＮ２の電荷が保持容量Ｃ１と画素電極３５の両方に移動するため、駆動トランジスタＴＲｄの電流がゼロになるしきい値電圧を正確に補正することができなくなる。そのため、イネーブルトランジスタＴＲｅを設け、駆動トランジスタＴＲｄと画素電極３５とを電気的に切断可能にしているのである。
【００５０】
［移動度補正ステップ］
次に、移動度補正ステップＳ１０３では、図６及び図７（ｃ）に示すように、データ線６８に表示階調に応じた電圧Ｖsigの画像信号を入力し、制御トランジスタＴＲｃをオン状態、イネーブルトランジスタＴＲｅをオフ状態として、予め設定した補正動作期間Ｔだけ保持する。これにより、駆動トランジスタＴＲｄの移動度等を補正し、後段の画像表示ステップＳ１０４において定電流駆動させることが可能になる。
以下、上記動作により駆動トランジスタＴＲｄの移動度等が補正される作用について説明する。
【００５１】
まず、駆動トランジスタＴＲｄの飽和領域の電流Ｉs［Ｖgs］が下記（２）式で表されるとすると、しきい値電圧補正後のソース電圧（ノードＮ２）の時間変化Ｖs［ｔ］は、下記（３）式の微分方程式を解いて、（４）式として得られる。ただし、（３）（４）式におけるｖ0は、ｖ0＝Ｖg−Ｖthとしてまとめたものである。また、イネーブルトランジスタＴＲｅがオフ状態であるため、簡単のために初期値ｖs［０］＝０とした。
【００５２】
【数３】
2011090144.tif 000005
【００５３】
さらに、（２）式に（４）式を代入すると、下記（５）式となる。
【００５４】
【数４】
2011090144.tif 000006
【００５５】
ここで、下記（６）式を満たす時間ｔ＝Ｔを設定し、（６）式を（７）式に変形して（５）式に代入すると、下記（８）式が得られる。
【００５６】
【数５】
2011090144.tif 000007
【００５７】
さらに、（８）式に下記の（９）式を代入すると、（１０）式に示すようにＫの項が消去される。Ｋは（１１）式に示すようにトランジスタ毎に決定される定数である。
【００５８】
【数６】
2011090144.tif 000008
【００５９】
（１０）式及び（１１）式から、ゲート幅Ｗ、ゲート長Ｌ、ゲート絶縁膜の特性Ｃox、移動度μが各画素４０の駆動トランジスタＴＲｄ毎にばらついていても、補正動作期間Ｔを適切に選択することで全ての画素４０において駆動トランジスタＴＲｄに流れる電流を均一化することができる。
なお、厳密には、（６）式において設定されたｃL＝ＫＴｖ0を満たす時間ｔ＝Ｔは、１つの駆動トランジスタＴＲｄのＫに基づいて設定される。そのため、（６）式から算出される補正動作期間Ｔは他の駆動トランジスタＴＲｄにおいては必ずしも最適値ではない。
【００６０】
そこで、Ｋの誤差を考慮して他の駆動トランジスタＴＲｄの電流値を計算する。計算対象の駆動トランジスタＴＲｄのＫ’は下記（１２）式に示すように、ＫとΔεとにより表すことができる。このＫ’を用いて他の駆動トランジスタＴＲｄの電流を算出すると（１３）式のようになる。よって、Ｋの誤差Δεが２０％である場合には、Δε2／４＝（０．２）2／４＝０．０１となり、電流誤差は１％にまで圧縮される。したがって、補正動作期間Ｔを適切に設定すれば、表示部５全体の駆動トランジスタＴＲｄの移動度を補正することが可能である。
【００６１】
【数７】
2011090144.tif 000009
【００６２】
なお、上記の移動度補正ステップＳ１０３による移動度の補正結果は、図６及び図７（ｃ）に示すように、保持容量Ｃ１の両端の電圧に反映される。つまり、ノードＮ１（ゲート電位Ｖg）はデータ線６８の電位Ｖsigとなる一方、ノードＮ２は補正された電圧差ΔＶが加算された電位−Ｖth＋ΔＶとなる。この電圧差ΔＶは、駆動トランジスタＴＲｄの移動度μに応じて異なる値である。より詳細には、移動度μが大きい駆動トランジスタＴＲｄでは電位差ΔＶは相対的に大きくなり、移動度μが小さい駆動トランジスタＴＲｄではΔＶは相対的に小さくなる。これにより、補正動作期間Ｔが経過したときの駆動トランジスタＴＲｄは、移動度μによらず一定の電流Ｉsが流れる状態に補正される。
【００６３】
また、補正動作期間Ｔは、表示部５における表示ムラが最小となる時間として実験的に設定してもよい。具体的には、補正動作期間Ｔは走査線６６をハイレベルとする期間により調整できるため、走査線６６に入力する選択信号のパルス幅を変えて表示ムラを観測することで、補正動作期間Ｔを実験的に設定することができる。
また、移動度補正ステップＳ１０３においても、イネーブルトランジスタＴＲｅがオフ状態に保持されることは重要である。電気泳動素子３２への電流流入があると移動度を正確に補正することができなくなるためである。
【００６４】
［画像表示ステップ］
以上のしきい値電圧補正及び移動度補正が終了したならば、画像表示ステップＳ１０４に移行する。
画像表示ステップＳ１０４では、図６及び図７（ｄ）に示すように、各行の走査線６６に制御トランジスタＴＲｃをオフ状態とする選択信号（ローレベル）を入力する。すると、ノードＮ１がハイインピーダンス状態となって保持容量Ｃ１の両端の電圧差が固定され、これにより駆動トランジスタＴＲｄが定電流源として機能するようになる。そしてこの状態で、イネーブル線４９の電位Ｅｎをハイレベルに遷移させると、イネーブルトランジスタＴＲｅがオン状態となり、駆動トランジスタＴＲｄからの定電流が画素電極３５に流入する。これにより、電気泳動素子３２が駆動され、電気泳動素子３２内の荷電粒子が移動することで、初期化駆動ステップＳ１０１において設定された白背景に、例えば黒色の画像成分が表示される。
【００６５】
なお、画素４０を所望の階調に固定するには、電気泳動素子３２が所定の階調に達したときに、再度、制御トランジスタＴＲｃを介して画像信号を入力して保持容量Ｃ１の両端の電圧を再設定し、これにより駆動トランジスタＴＲｄの電流を停止させればよい。あるいは、より簡便には、イネーブル線４９にイネーブルトランジスタＴＲｅをオフ状態とする電位Ｅｎ（ローレベル）を入力してもよい。
【００６６】
以上詳細に説明したように、本実施形態の電気泳動表示装置の駆動方法によれば、初期化駆動ステップＳ１０１〜画像表示ステップＳ１０４を実行することで、各々の画素４０の駆動トランジスタＴＲｄのしきい値電圧及び移動度を補正した上で表示部５に所望の画像を表示させることができ、ムラのない均一な画像表示を得ることができる。
【００６７】
（第２の実施形態）
次に、本発明の第２の実施形態について、図８及び図９を参照しつつ説明する。
本実施形態の電気泳動表示装置２００は、図１から図７を参照して説明した先の実施形態の電気泳動表示装置１００に対して、イネーブル線制御回路を追加したものである。
【００６８】
図８は、本実施形態の電気泳動表示装置２００の表示部５及び非表示部６の概略構成図である。
図８に示すように、電気泳動表示装置２００の表示部５には、画素４０が形成されており、表示部５の外側の非表示部６に、イネーブル線制御回路１４９が設けられている。
イネーブル線制御回路１４９は、走査線６６に沿って延びるイネーブル線４９にそれぞれ対応して設けられたスイッチ回路１４９ａを備えている。各スイッチ回路１４９ａは、第１電源線７１及び第２電源線７２と接続されている。また、ｉ行目（１≦ｉ≦ｍ）のイネーブル線４９に対応するスイッチ回路１４９ａは、ｉ行目のイネーブル線４９とともに、ｉ行目の走査線６６とその次行の（ｉ＋１）行目の走査線６６とに接続されている。
【００６９】
スイッチ回路１４９ａは、第１トランジスタＴＲ１と、第２トランジスタＴＲ２と、容量Ｃ２とを備えている。
第１トランジスタＴＲ１のゲートはｉ行目の走査線６６に接続され、ソースは第１電源線７１に接続され、ドレインはｉ行目のイネーブル線４９に接続されている。第２トランジスタＴＲ２のゲートは（ｉ＋１）行目の走査線６６に接続され、ソースは第２電源線７２に接続され、ドレインはｉ行目のイネーブル線４９に接続されている。容量Ｃ２は、一方の電極をｉ行目のイネーブル線４９に接続され、他方の電極をグランド又は任意の電位の電源に接続されている。
上記構成を備えたスイッチ回路１４９ａは、第１トランジスタＴＲ１にｉ行目の走査線６６を介して選択信号を入力することにより第１電源線７１とイネーブル線４９との電気的接続をスイッチング可能であり、また第２トランジスタＴＲ２に（ｉ＋１）行目の走査線６６を介して選択信号を入力することにより第２電源線７２とイネーブル線４９との電気的接続をスイッチング可能である。
【００７０】
なお、本実施形態では第２トランジスタＴＲ２のゲートを（ｉ＋１）行目の走査線６６に接続しているが、ｉ行目以外であれば任意の行の走査線６６と接続することができる。
また本実施形態で参照する図８では、表示部５の図中右側にスイッチ回路１４９ａが形成されているが、スイッチ回路１４９ａは、イネーブル線４９の反対側の端部に接続してもよい。すなわち、スイッチ回路１４９ａは、表示部５の一辺のみに沿って配置されてもよく、表示部５の対向する二辺に沿って配列されてもよい。表示部５の対向する二辺に配置する場合には、スイッチ回路１４９ａの配設位置を、１行ごとにイネーブル線４９の異なる端部（表示部５の左右）に振り分けて配置してもよい。
【００７１】
上記構成の電気泳動表示装置２００における画像表示動作において、イネーブル線制御回路１４９の第１電源線７１及び第２電源線７２には走査線６６の選択動作と同期した矩形状のパルスが供給される。そして、走査線６６を介して入力される選択信号（電位Ｇ）に基づくスイッチ回路１４９ａの動作により、イネーブル線４９に制御された電位が供給される。以下、図９を参照しつつ各ステップにおける動作について具体的に説明する。
【００７２】
図９は、イネーブル線制御回路１４９の動作を説明するためのタイミングチャートである。図９には、第１電源線７１の電位Ｖｇ１と、第２電源線７２の電位Ｖｇ２と、ｉ行目の走査線６６の電位Ｇ（ｉ）と、（ｉ＋１）行目の走査線６６の電位Ｇ（ｉ＋１）とが示されている。
【００７３】
まず、初期化駆動ステップＳ１０１では、図９に示すように、少なくとも第１電源線７１の電位Ｖｇ１が、イネーブルトランジスタＴＲｅをオン状態とする電位（ハイレベル）とされる。これにより、ｉ行目の走査線６６が選択されて第１トランジスタＴＲ１がオン状態となったときに、イネーブルトランジスタＴＲｅがオン状態となり、駆動トランジスタＴＲｄからの電流が画素電極３５に流入し、電気泳動素子３２が駆動される。
【００７４】
なお、初期化駆動ステップＳ１０１において走査線６６を１行ずつ選択する場合には、第２電源線７２の電位Ｖｇ２は任意の電位とすることができる。一方、複数の走査線６６を同時に選択し、複数の走査線６６に属する画素４０に対して同時に初期化動作を行う場合には、図９に二点差線で示すように、第２電源線７２にイネーブルトランジスタＴＲｅをオン状態とする電位（ハイレベル）を供給する。これは、複数の走査線６６に同時に選択信号が入力されると、第１トランジスタＴＲ１と第２トランジスタＴＲ２とが同時にオン状態となる場合があるため、このときに第１電源線７１と第２電源線７２の電位が衝突するのを防止するためである。
【００７５】
次に、しきい値電圧補正ステップＳ１０２では、少なくとも第１電源線７１の電位Ｖｇ１が、イネーブルトランジスタＴＲｅをオフ状態とする電位（ローレベル）とされる。これにより、初期化駆動ステップＳ１０１でオン状態とされていたイネーブルトランジスタＴＲｅをオフ状態に移行させることができ、画素電極３５への電流流入を防止できるので、しきい値電圧補正を正確に行うことができる。
なお、複数の走査線６６を同時に選択してしきい値電圧補正を行う場合に、第２電源線７２にもイネーブルトランジスタＴＲｅをオフ状態とする電位を入力するのは、初期化駆動ステップＳ１０１と同様である。
【００７６】
次に、移動度補正ステップＳ１０３及び画像表示ステップＳ１０４では、第１電源線７１の電位Ｖｇ１がイネーブルトランジスタＴＲｅをオフ状態とする電位（ローレベル）とされる一方、第２電源線７２の電位Ｖｇ２がイネーブルトランジスタＴＲｅをオン状態とする電位（ハイレベル）とされる。
ここで、図９に示すように、走査線６６を介して選択信号が入力されている期間（制御トランジスタＴＲｃがオン状態となる期間）は、初期化駆動ステップＳ１０１から移動度補正ステップＳ１０３の期間であり、ｉ行目の走査線６６に属する画素４０が画像表示ステップＳ１０４に移行すると、（ｉ＋１）行目の走査線６６に制御トランジスタＴＲｃをオン状態とする電位（ハイレベル）の入力が開始される。
【００７７】
そこで、上記のように第１電源線７１及び第２電源線７２に電位を入力することで、ｉ行目の走査線６６に属する画素４０の移動度補正ステップＳ１０３では、イネーブルトランジスタＴＲｅをオフ状態とすることができるので、画素電極３５への電流流入を防ぎ、移動度補正を正確に行うことができる。そして、ｉ行目の走査線６６に属する画素４０が画像表示ステップＳ１０４に移行すると、（ｉ＋１）行目の走査線６６の電位Ｇ（ｉ＋１）が第２トランジスタＴＲ２をオン状態とする電位（ハイレベル）となるので、第２トランジスタＴＲ２を介してイネーブル線４９にイネーブルトランジスタＴＲｅをオン状態とする電位（ハイレベル）が入力され、ｉ行目の走査線６６に属する画素４０において画像表示が実行される。
【００７８】
さらに、次の（ｉ＋２）行目の走査線６６が選択されると、第１トランジスタＴＲ１及び第２トランジスタＴＲ２はいずれもオフ状態となる。しかし、イネーブル線４９には容量Ｃ２が接続されているため、容量Ｃ２によって、イネーブル線４９がイネーブルトランジスタＴＲｅをオン状態とする電位に維持される。これにより、画像表示ステップＳ１０４の終了後も所定期間は電気泳動素子３２の駆動状態が維持される。
【００７９】
以上詳細に説明したように、第２実施形態に係る電気泳動表示装置２００によれば、イネーブル線制御回路１４９を設けたことで、イネーブル線４９の電位を制御する駆動回路を外部に設ける必要が無くなる。この点、第１実施形態においても、共通電源変調回路６４を素子基板３０上に形成すれば外付けの駆動回路は不要であるが、本実施形態の場合には、イネーブル線４９の駆動に関わるグローバル配線は第１電源線７１と第２電源線７２のみであるため、共通電源変調回路６４の回路構成や基板上の配線の引き回しを簡素化することができる。
【００８０】
［変形例］
次に、第２実施形態の変形例について、図１０を参照しつつ説明する。
本変形例に係る電気泳動表示装置２００Ａは、図８及び図９を参照して説明した第２実施形態の電気泳動表示装置２００において、イネーブル線制御回路の構成を変更したものである。
【００８１】
図１０に示すように、電気泳動表示装置２００Ａは、その非表示部６にイネーブル線制御回路１４９Ａを備えている。
イネーブル線制御回路１４９Ａは、複数のスイッチ回路１４９ｂと、第１電源線７１と、第２電源線７２と、第３電源線７３と、を備えている。スイッチ回路１４９ｂは、各々のイネーブル線４９に対応して設けられており、ｉ行目（（１≦ｉ≦ｍ））のイネーブル線４９に接続されたスイッチ回路１４９ｂは、ｉ行目の走査線６６と、その次行の（ｉ＋１）行目の走査線６６と、ｉ行目及び（ｉ＋１）行目の走査線６６とは異なるｊ行目（ｊ≠ｉ，ｉ＋１、１≦ｊ≦ｍ）の走査線６６とに接続されている。
【００８２】
より詳細には、スイッチ回路１４９ｂは、第１トランジスタＴＲ１と、第２トランジスタＴＲ２と、第３トランジスタＴＲ３と、容量Ｃ２とを備えている。
第１トランジスタＴＲ１のゲートはｉ行目の走査線６６に接続され、ソースは第１電源線７１に接続され、ドレインはｉ行目のイネーブル線４９に接続されている。第２トランジスタＴＲ２のゲートは（ｉ＋１）行目の走査線６６に接続され、ソースは第２電源線７２に接続され、ドレインはｉ行目のイネーブル線４９に接続されている。第３トランジスタＴＲ３のゲートはｊ行目の走査線６６に接続され、ソースは第３電源線７３に接続され、ドレインはｉ行目のイネーブル線４９に接続されている。容量Ｃ２は、一方の電極をｉ行目のイネーブル線４９に接続され、他方の電極をグランド又は任意の電位の電源に接続されている。
【００８３】
すなわち、スイッチ回路１４９ｂは、イネーブル線４９に対して第１電源線７１、第２電源線７２、及び第３電源線７３を選択的に接続する回路であり、ｉ行目、（ｉ＋１）行目、及びｊ行目の走査線６６を介して入力される選択信号により上記スイッチング動作を制御される。
【００８４】
上記構成の変形例に係る電気泳動表示装置２００Ａでは、第３トランジスタＴＲ３及び第３電源線７３を備えたことで、より細かくイネーブルトランジスタＴＲｅを制御することができ、種々の駆動形態を容易に実行することが可能である。以下、詳細に説明する。
【００８５】
電気泳動表示装置２００Ａにおける第１トランジスタＴＲ１及び第２トランジスタＴＲ２の動作は先の第２実施形態と同様であり、画像表示ステップＳ１０４において第２トランジスタＴＲ２をオン状態として画像表示動作を開始し、第２トランジスタＴＲ２をオフ状態に移行させた後は容量Ｃ２に保持された電荷によりイネーブルトランジスタＴＲｅのオン状態を保持する。
【００８６】
本変形例では、この容量Ｃ２によりイネーブルトランジスタＴＲｅをオン状態に保持している期間に、第３トランジスタＴＲ３の動作によってさらに細かな制御を行うことができる。例えば、第３電源線７３にイネーブルトランジスタＴＲｅをオフ状態とする電位（ローレベル）を供給しておけば、ｊ行目の走査線６６が選択されて第３トランジスタＴＲ３がオン状態となったときに、イネーブルトランジスタＴＲｅをオフ状態に移行させ、電気泳動素子３２の駆動を停止させることができる。すなわち、電気泳動素子３２を駆動する期間を、容量Ｃ２の充電量によらずに厳密に時間制御することができる。
一方、第３電源線７３にイネーブルトランジスタＴＲｅをオン状態とする電位（ローレベル）を供給しておけば、ｊ行目の走査線６６が選択されたときに、容量Ｃ２を再充電することができ、より長い期間にわたって電気泳動素子３２の駆動を継続させることができる。
【００８７】
上記変形例に係る電気泳動表示装置２００Ａでは、第３トランジスタＴＲ３のゲートをｊ行目の走査線６６に接続した場合について説明したが、全ての第３トランジスタＴＲ３のゲートに外部の制御線を接続し、第３トランジスタＴＲ３を走査線６６の選択動作とは独立して制御可能に構成してもよい。
このような構成とすれば、第３電源線７３にイネーブルトランジスタＴＲｅをオフ状態とする電位（ローレベル）を供給した状態で、上記の制御線に第３トランジスタＴＲ３をオン状態とする電位（ハイレベル）を入力すれば、表示部５の全ての画素４０においてイネーブルトランジスタＴＲｅを一斉にオフ状態とすることができ、全ての画素４０の電気泳動素子３２の駆動を停止させることができる。
【００８８】
（第３の実施形態）
次に、本発明の第３の実施形態について、図１１を参照しつつ説明する。
本実施形態の電気泳動表示装置３００は、図１から図７を参照して説明した先の実施形態の電気泳動表示装置１００に対して、電位制御回路を追加したものである。
【００８９】
図１１は、第３実施形態の電気泳動表示装置３００の表示部５及び非表示部６を示す概略構成図である。
図１１に示すように、電気泳動表示装置３００の表示部５には、図１に示した電源線５０に代えて、各走査線６６に対応して電源線５１が形成されている。各々の電源線５１は対応する走査線６６に沿って延びている。一方、表示部５の外側の非表示部６には、電位制御回路１５０が設けられている。電位制御回路１５０は、複数のスイッチ回路１５０ａと、第４電源線８４と、第５電源線８５と、を備えている。
【００９０】
スイッチ回路１５０ａは、走査線６６に沿って延びる電源線５１にそれぞれ対応して設けられている。ｉ行目（１≦ｉ≦ｍ）の電源線５１に対応するスイッチ回路１５０ａは、ｉ行目の電源線５１とともに、ｉ行目の走査線６６とその次行の（ｉ＋１）行目の走査線６６と、低電位電源９１（第１電源；電位ＶｇＬ）と、高電位電源９２（第２電源；電位ＶｇＨ）とに接続されている。
【００９１】
スイッチ回路１５０ａは、第４トランジスタＴＲ４と、第５トランジスタＴＲ５と、第６トランジスタＴＲ６と、第７トランジスタＴＲ７と、容量Ｃ３とを備えている。
第４トランジスタＴＲ４のゲートはｉ行目の走査線６６に接続され、ソースは第４電源線８４に接続され、ドレインはｉ行目の電源線５１に接続されている。
第５トランジスタＴＲ５のゲートは、第６トランジスタＴＲ６のドレイン及び第７トランジスタＴＲ７のドレイン、並びに容量Ｃ３の一方の電極に接続されている。第５トランジスタＴＲ５のソースは第５電源線８５に接続され、ドレインはｉ行目の電源線５１に接続されている。
第６トランジスタＴＲ６のゲートはｉ行目の走査線６６に接続され、ソースは低電位電源９１に接続され、ドレインは第５トランジスタＴＲ５のゲートに接続されている。
第７トランジスタＴＲ７のゲートは（ｉ＋１）行目の走査線６６に接続され、ソースは高電位電源９２に接続され、ドレインは第５トランジスタＴＲ５のゲートに接続されている。
容量Ｃ３は、一方の電極を第５トランジスタＴＲ５のゲートに、他方の電極をグランド又は任意の電位の電源に接続されている。
【００９２】
上記構成を備えたスイッチ回路１５０ａは、電源線５１に対する第４電源線８４及び第５電源線８５の電気的接続を第４トランジスタＴＲ４及び第５トランジスタＴＲ５によりスイッチングする。
第４トランジスタＴＲ４はｉ行目の走査線６６を介して入力される選択信号により制御される。一方、第５トランジスタＴＲ５は、第６トランジスタＴＲ６と第７トランジスタＴＲ７と容量Ｃ３とにより構成される回路から出力される電位により制御される。具体的には、第６トランジスタＴＲ６は第５トランジスタＴＲ５をオフ状態とする電位ＶｇＬ（ローレベル）を出力し、第７トランジスタＴＲ７は第５トランジスタＴＲ５をオン状態とする電位ＶｇＨ（ハイレベル）を出力する。容量Ｃ３は第６トランジスタＴＲ６又は第７トランジスタＴＲ７の出力電位を所定期間保持する。
【００９３】
なお、本実施形態では第７トランジスタＴＲ７のゲートを（ｉ＋１）行目の走査線６６に接続しているが、ｉ行目以外であれば任意の行の走査線６６と接続することができる。
また本実施形態で参照する図１１では、表示部５の図中右側にスイッチ回路１５０ａが形成されているが、スイッチ回路１５０ａは、電源線５１の反対側の端部に接続してもよい。すなわち、スイッチ回路１５０ａは、表示部５の一辺のみに沿って配置されてもよく、表示部５の対向する二辺に沿って配列されてもよい。表示部５の対向する二辺に配置する場合には、スイッチ回路１５０ａの配設位置を、１行ごとに電源線５１の異なる端部（表示部５の左右）に振り分けて配置してもよい。
【００９４】
上記構成の電気泳動表示装置３００における画像表示動作の一例について以下に説明する。
図１２は、電位制御回路１５０の動作を説明するためのタイミングチャートであり、表１は、画像表示動作の各ステップにおけるトランジスタのオンオフ状態と電源線５１の電位とを記載した表である。
【００９５】
【表１】
2011090144.tif 000010
【００９６】
図１２に示すように、第４電源線８４（電位Ｖｄ１）には走査線６６の選択動作と同期した矩形状のパルスが入力され、第５電源線８５（電位Ｖｄ２）は画像表示用の電位Ｖｅに保持される。
まず、初期化駆動ステップＳ１０１では、第４電源線８４に負の電位−Ｖｅ0が供給されている状態で、ｉ行目の走査線６６に制御トランジスタＴＲｃをオン状態とする電位（ハイレベル）が入力され、この選択信号によって第４トランジスタＴＲ４と第６トランジスタＴＲ６とがオン状態となる。これにより、第４トランジスタＴＲ４を介して電源線５１と第４電源線８４とが接続され、電源線５１が負の電位−Ｖｅ0とされる。そして、駆動トランジスタＴＲｄのドレインに負の電位−Ｖｅ0が供給され、初期化駆動ステップＳ１０１が実行される。
一方、第５トランジスタＴＲ５のゲートには、第６トランジスタＴＲ６から電位ＶｇＬが入力されるため、第５トランジスタＴＲ５はオフ状態に保持される。したがって、電源線５１において電圧の衝突が生じることはない。
【００９７】
次に、しきい値電圧補正ステップＳ１０２に移行すると、第４電源線８４に正の電位Ｖｅが供給される。一方、第４トランジスタＴＲ４及び第５トランジスタＴＲ５のオンオフ状態は変化しないので、電源線５１に第４電源線８４から正の電位Ｖｅが供給される。この状態で、しきい値電圧補正ステップＳ１０２と移動度補正ステップＳ１０３とが実行される。
【００９８】
その後、画像表示ステップＳ１０４に移行すると、ｉ行目の走査線６６が非選択状態（ローレベル）とされるとともに、（ｉ＋１）行目の走査線６６が選択状態（ハイレベル）とされる。これにより、表１に示すように、第４トランジスタＴＲ４と第６トランジスタＴＲ６とがオフ状態になる。また、ゲートを（ｉ＋１）行目の走査線６６に接続された第７トランジスタＴＲ７がオン状態となり、これにより第５トランジスタＴＲ５がオン状態となって第５電源線８５と電源線５１とが接続される。そして、電源線５１を介して第５電源線８５の電位（電位Ｖｅ）が、画素４０の駆動トランジスタＴＲｄのドレインに供給される。この状態で、ｉ行目の走査線６６に属する画素４０の画像表示ステップＳ１０４が実行される。
なお、（ｉ＋１）行目の走査線６６が非選択状態（ローレベル）に移行すると、第７トランジスタＴＲ７がオフ状態となるが、第５トランジスタＴＲ５のゲート電位は容量Ｃ３により維持されるので、第５トランジスタＴＲ５がオン状態に保持され、電源線５１に第５電源線８５から電位Ｖｅが供給され続ける。
【００９９】
以上詳細に説明したように、第３実施形態の電気泳動表示装置３００では、電位制御回路１５０を備えていることで、各行の電源線５１を走査線６６の選択動作に同期させて制御することができる。
また、初期化駆動ステップＳ１０１としきい値電圧補正ステップＳ１０２とを各行毎に行う場合には、駆動トランジスタＴＲｄのドレイン電位を制御する駆動回路を各行毎に設ける必要があるが、本実施形態では、このような駆動回路は不要である。
なお、上記第３の実施形態において、第２実施形態と同様のイネーブル線制御回路１４９，１４９Ａを設け、走査線６６の選択動作に伴ってイネーブル線４９に供給する電位を制御する構成としてもよいのはもちろんである。
【０１００】
（電子機器）
次に、上記実施形態の電気泳動表示装置１００，２００，２００Ａ，３００を、電子機器に適用した場合について説明する。
図１３は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１０１】
図１４は電子ペーパー１１００の構成を示す斜視図である。電子ペーパー１１００は、上記実施形態の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【０１０２】
図１５は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１０３】
以上の腕時計１０００、電子ペーパー１１００、及び電子ノート１２００によれば、本発明に係る電気泳動表示装置が採用されているので、表示ムラが低減された表示が可能な表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置は好適に用いることができる。
【符号の説明】
【０１０４】
１００，２００，２００Ａ，３００  電気泳動表示装置、５  表示部、６  非表示部、Ｔ  補正動作期間、３２  電気泳動素子、３５  画素電極、３７  共通電極、４０  画素、４１  選択トランジスタ、４９  イネーブル線、５０，５１  電源線、６３  コントローラー（制御部）、６６  走査線、６８  データ線、７１  第１電源線、７２  第２電源線、７３  第３電源線、８４  第４電源線、８５  第５電源線、９１  低電位電源、９２  高電位電源、Ｃ１  保持容量、Ｃ２，Ｃ３  容量、１４９，１４９Ａ  イネーブル線制御回路、１４９ａ，１４９ｂ，１５０ａ  スイッチ回路、１５０  電位制御回路、ＴＲ１  第１トランジスタ、ＴＲ２  第２トランジスタ、ＴＲ３  第３トランジスタ、ＴＲ４  第４トランジスタ、ＴＲ５  第５トランジスタ、ＴＲ６  第６トランジスタ、ＴＲ７  第７トランジスタ、ＴＲｃ  制御トランジスタ、ＴＲｄ  駆動トランジスタ、ＴＲｅ  イネーブルトランジスタ、Ｓ１０１  初期化駆動ステップ、Ｓ１０２  しきい値電圧補正ステップ、Ｓ１０３  移動度補正ステップ、Ｓ１０４  画像表示ステップ
【図１】
2011090144.tif 000011
【図２】
2011090144.tif 000012
【図３】
2011090144.tif 000013
【図４】
2011090144.tif 000014
【図５】
2011090144.tif 000015
【図６】
2011090144.tif 000016
【図７】
2011090144.tif 000017
【図８】
2011090144.tif 000018
【図９】
2011090144.tif 000019
【図１０】
2011090144.tif 000020
【図１１】
2011090144.tif 000021
【図１２】
2011090144.tif 000022
【図１３】
2011090144.tif 000023
【図１４】
2011090144.tif 000024
【図１５】
2011090144.tif 000025